【手続補正書】
【提出日】平成19年10月25日(2007.10.25)
【手続補正１】
【補正対象書類名】特許請求の範囲
【補正対象項目名】全文
【補正方法】変更
【補正の内容】
【特許請求の範囲】
【請求項１】
複数のオーディオ入力信号を処理する装置であって、
複数の入力信号を受け取る複数の入力端子と、
リスナーがリスニング環境でおそらく聞くであろう反響音をシミュレートする遅延反響成分を含み、前記複数の入力信号を受け取り、１組の出力信号を生成する複数入力・複数出力反響装置と、
入力が前記反響装置の出力に接続された複数入力・２出力フィルターであって、該フィルターの入力はまた複数の入力端子に接続され、該フィルターは、１つは左の耳、もう１つは右の耳への２つの出力をもち、該フィルターは、リスニング環境に対応する１組の頭部伝達関数とこのリスニング環境でリスナーに１組の方向性を与えることを実行するよう構成され、前記２出力はヘッドフォンを通して再生可能である、複数入力・２出力フィルターと、
を具備し、
ヘッドフォンを介した前記リスニング環境で左右の出力信号を聞いているリスナーは、該リスナーに対し対応する複数の方向を形成するために前記リスニング環境に空間的広がりを持って置かれた複数のラウドスピーカからでてきている複数のオーディオ入力信号を聞いているようかのような感覚を持つことを特徴とする複数のオーディオ入力信号を処理する装置。
【請求項２】
複数のオーディオ入力信号を処理する方法であって、
複数の入力信号を受け取るステップと、
リスナーがリスニング環境でおそらく聞くであろう反響音をシミュレートする遅延反響成分を形成するステップを含む、反響装置からの１組の出力を前記複数の入力信号から生成するステップと、
２つの出力を生成するために前記入力信号と反響装置の出力信号の組み合わせをフィルターするステップであって、前記２つの出力は１つは左の耳、もう１つは右の耳への２つの出力であり、前記フィルターは、リスニング環境に対応する１組の頭部伝達関数と該リスニング環境でリスナーに１組の方向性を与えることを実行し、前記２出力はヘッドフォンを通して再生可能である、ステップと、
を具備し、
ヘッドフォンを介した前記リスニング環境で左右の出力信号を聞いているリスナーは、該リスナーに対し対応する複数の方向を形成するために前記リスニング環境に空間的広がりを持って置かれた複数のラウドスピーカからでてきている複数のオーディオ入力信号を聞いているようかのような感覚を持つことを特徴とする複数のオーディオ入力信号を処理する方法。
【請求項３】
少なくとも１つの反響成分を生成するステップには、受け取った複数の前記入力信号を結合するステップが含まれ、１組の反響装置出力信号を生成するステップでは異なった入力信号を異なったように処理することを特徴とする請求項２に記載の複数のオーディオ入力信号を処理する方法。
【請求項４】
反響させるための１組の入力を発生させるために反響装置の出力の組と複数の入力とを結合させるステップをさらに具備することを特徴とする請求項２又は請求項３に記載の複数のオーディオ入力信号を処理する方法。
【請求項５】
前記反響成分には、受領した前記入力信号を混合し、遅延させ、そしてフィルターした一連の成分が含まれることを特徴とする請求項２乃至請求項４のいずれか１項に記載の複数のオーディオ入力信号を処理する方法。
【請求項６】
１組の反響装置出力信号を生成するステップには、複数の入力信号を混合するステップが含まれ、該混合は、複数の混合器入力を結合することにより少なくとも1つの混合器出力を生成するような、非対角マトリックスで記述することのできる混合であることを特徴とする請求項２乃至請求項５のいずれか１項に記載の複数のオーディオ入力信号を処理する方法。
【請求項７】
前記マトリックスは、対角マトリックスであらかじめ積算し及び／又は対角マトリックスでその後積算する、ユニタリーマトリックスであることを特徴とする請求項６に記載の複数のオーディオ入力信号を処理する方法。
【請求項８】
前記１組の反響装置出力信号を生成するステップには、受け取った前記入力と遅延されフィルターされた前記混合器出力とを結合するステップが含まれ、前記１組の反響装置出力信号を生成するステップには、遅延させるステップとフィルターするステップとを含む少なくとも１つのフィードバック信号経路を有する複数のフィードバック信号経路を提供するステップが含まれることを特徴とする請求項２乃至請求項７のいずれか１項に記載の複数のオーディオ入力信号を処理する方法。
【請求項９】
前記フィルターするステップでは、対応する複数のＨＲＴＦ方向に対して、リスナーに対して形成された各方向に対してそれぞれ1つのペアが対応する、複数のＨＲＴＦフィルターペアを実施し、
前記反響装置出力を生成する前記ステップには、リスナーに対して形成された各方向に対してそれぞれ１つが対応する複数のフィードバック信号経路を提供するステップが含まれ、
前記オーディオ入力信号を処理する方法には、前記フィードバック信号の各経路とＨＲＴＦフィルターペアの対応する信号経路とを接続するステップが含まれることを特徴とする請求項２乃至請求項７のいずれか１項に記載の複数のオーディオ入力信号を処理する方法。
【請求項１０】
１組の反響装置出力を生成する前記ステップには、前記フィードバック信号経路への入力を生成するために、受け取った前記入力と前記フィードバック信号経路の出力とを混合するステップをさらに具備し、前記混合するステップは、複数の混合器入力を結合することにより少なくとも1つの混合出力を生成するような、非対角マトリックスで記述することのできるものであることを特徴とする請求項８又は請求項９に記載の複数のオーディオ入力信号を処理する方法。
【請求項１１】
前記フィードバック信号経路の各々には、遅延させるステップとフィルターするステップとが含まれ、各フィルターするステップでは前記フィードバック信号経路のそれぞれにより生じたエコーの周波数により変化する好ましい減衰率を生成し、それぞれの遅延させるステップには前記リスニング環境に対して好ましい反響パターンを適用するステップが含まれることを特徴とする請求項８乃至請求項１０のいずれか１項に記載の複数のオーディオ入力信号を処理する方法。
【請求項１２】
各フィードバック信号経路におけるフィルターするステップは、低い周波数で好ましい反響時間を達成し、高い周波数で好ましい反響時間を達成するよう選定されることを特徴とする請求項１１に記載の複数のオーディオ入力信号を処理する方法。
【請求項１３】
異なった前記フィードバック信号経路の前記遅延は、共通要素がなく異なっていることを特徴とする請求項１１又は請求項１２に記載の複数のオーディオ入力信号を処理する方法。
【請求項１４】
前記異なった前記フィードバック信号経路の前記遅延の各々は、前記リスニング環境における最初のエコーの到着の遅延時間とほぼ等しくなるよう選定されることを特徴とする請求項１１乃至請求項１３のいずれか１項に記載の複数のオーディオ入力信号を処理する方法。
【請求項１５】
前記異なった前記フィードバック信号経路の前記遅延の各々は、エコーのパターンが各フィードバック信号経路に対して相関を持たないよう選定されることを特徴とする請求項１１乃至請求項１４のいずれか１項に記載の複数のオーディオ入力信号を処理する方法。
【請求項１６】
ＨＲＴＦ方向の数は、複数のオーディオ入力信号の入力信号の数より小さいことを特徴とする請求項９乃至請求項１５のいずれか１項に記載の複数のオーディオ入力信号を処理する方法。
【請求項１７】
ＨＲＴＦ方向の数は、複数のオーディオ入力信号の入力信号の数より大きいことを特徴とする請求項９乃至請求項１５のいずれか１項に記載の複数のオーディオ入力信号を処理する方法。
【請求項１８】
方法を実行する処理システムのプロセッサの少なくとも１つに命令を与える少なくとも１つのコードセグメントを有する可搬媒体であって、該命令は複数のオーディオ入力信号を処理する方法であって、該命令は、
複数の入力信号を受け取るステップと、
リスナーがリスニング環境でおそらく聞くであろう反響音をシミュレートする遅延反響成分形成するステップを含む、反響装置からの１組の出力を前記複数の入力信号から生成するステップと、
２つの出力を生成するために前記入力信号と反響装置の出力信号の組み合わせをフィルターするステップであって、前記２つの出力は１つは左の耳、もう１つは右の耳への２つの出力であり、前記フィルターは、リスニング環境に対応する１組の頭部伝達関数と該リスニング環境でリスナーに１組の方向性を与えることを実行し、前記２出力はヘッドフォンを通して再生可能である、ステップと、
を具備し、
ヘッドフォンを介した前記リスニング環境で左右の出力信号を聞いているリスナーは、該リスナーに対し対応する複数の方向を形成するために前記リスニング環境に空間的広がりを持って置かれた複数のラウドスピーカからでてきている複数のオーディオ入力信号を聞いているようかのような感覚を持つことを特徴とする可搬媒体。